(57)【要約】【課題】基本的にはカーペットタイルを単枚毎に剥がしていわゆる丸洗い状に洗浄する手法を採ることを前提とし、それに適した具体的な手法の開発を行うことを課題とした。【解決手段】浸置洗浄工程Ｓ１において単枚状のカーペットタイルＣの汚れ・異物を洗浄液中で除去し、次いでジェット水洗浄工程Ｓ２において、カーペットタイルＣを一枚毎、高圧洗浄流体による洗浄を行い、次いで乾燥工程Ｓ３において、カーペットタイルＣの水分除去と起毛と乾燥とを行い、次いでトリミング工程Ｓ４において、カーペットタイルＣの周部においてシート基材Ｃ１からはみ出した倒出植毛Ｃ３を切り落とすことを特徴とする。【選択図】図１
2017221920.tif 000002
【特許請求の範囲】
【請求項１】
浸置洗浄工程、ジェット水洗浄工程、乾燥工程、トリミング工程を経て単枚状のカーペットタイルを洗浄・整形する方法であって、
浸置洗浄工程において単枚状のカーペットタイルの汚れ・異物を洗浄液中で除去するものであり、
この工程では、洗浄液を貯留できる洗浄コンテナと、洗浄コンテナ底部から気泡を噴出するバブリングノズルとを具えた浸置洗浄装置を用いるものであり、
洗浄液を入れた洗浄コンテナ内に、単枚状のカーペットタイルを縦置き整列状態に収納し、バブリングノズルからの気泡によりカーペットタイルに対し物理的表面活性刺激を与え、これに付着している汚れ・異物を除去する浸置洗浄作業を行い、
次いでジェット水洗浄工程において、浸置洗浄工程を終了した単枚状のカーペットタイルを一枚毎、高圧洗浄流体による洗浄を行うものであり、
この工程では、カバーシェード内にワークスタンドを具えるとともに、別途高圧洗浄ノズルを具えたジェット水洗浄装置を用いるものであり、
前記ワークスタンドに対し対面状に単枚状のカーペットタイルを設置し、これに高圧洗浄ノズルからの高圧洗浄流体を作用させて、この洗浄流体によりカーペットタイルの表面の汚れ・異物を更に除去し、
次いで乾燥工程において、ジェット水洗浄工程を終了したカーペットタイルの水分除去と起毛と乾燥とを行うものであり、
この工程では、筐体内に加圧ローラとブラシローラとを具えた乾燥装置を用いるものであり、
カーペットタイルを、植毛を下向きにして加圧ローラ、ブラシローラを通過させ、植毛側に残留しがちな水分を重力を利用して下方に排除するとともに、ブラシローラによって植毛を浮き立たせるように起毛させ、
次いでトリミング工程において、乾燥工程を終了したカーペットタイルの周部においてシート基材からはみ出した倒出植毛を切り落とすことを特徴とするカーペットタイルの洗浄整形方法。
【請求項２】
前記各工程は、一定枚数のカーペットタイルが一作業単位として処理されることを特徴とする請求項１記載のカーペットタイルの洗浄整形方法。
【請求項３】
前記浸置洗浄工程は、洗浄コンテナに対し洗浄用の温水を供給して洗浄液を調製する作業と、洗浄後の洗浄液を排水する作業とを伴うものであり、複数の洗浄コンテナを用意して各別に、温水の供給作業、浸置洗浄作業、排水作業を順次、並列的に行うようにしたことを特徴とする請求項１または２記載のカーペットタイルの洗浄整形方法。
【請求項４】
前記乾燥工程においては、加圧ローラに加え、バキューム装置を用いた真空吸引によって水分除去を行うことを特徴とする請求項１、２または３記載のカーペットタイルの洗浄整形方法。
【請求項５】
前記乾燥工程においては、加熱装置によってカーペットタイル乾燥を行うことを特徴とする請求項１、２、３または４記載のカーペットタイルの洗浄整形方法。
【請求項６】
前記請求項１、２、３、４または５いずれか記載のカーペットタイルの洗浄整形方法を適用して、カーペットフロアの洗浄作業を現場で完結させるようにしたカーペットフロアの管理を行う方法であって、
作業現場準備工程で、前記請求項１、２、３、４または５記載の方法を実施するための作業現場を施設周囲の適宜位置に設置し、
次いで仮置タイル仮設工程において、カーペットタイルと同規格の仮置タイルを複数枚用意し、一方、管理対象となる施設のカーペットフロアを構成するカーペットタイルを順次床面から剥がし取るとともに、カーペットタイルが剥がし取られた床面に仮置タイルを仮設して施設の平常利用環境を確保し、
次いでカーペットタイル持込工程において、前記剥がし取られた複数枚のカーペットタイルを作業現場に持ち込むとともに、前記請求項１、２、３、４または５いずれか記載のカーペットタイルの洗浄方法を実施し、
次いでカーペットタイル戻し工程において、洗浄・整形済みのカーペットタイルを剥がし取った床面に戻すものであり、仮置きタイルを剥がし取った個所に洗浄済みのカーペットタイルを嵌め込み、仮置きタイルとの入れ替えを順次行うようにしたことを特徴とするカーペットフロアの管理方法。
【請求項７】
前記仮置タイル仮設工程において、床面から剥がし取る前のカーペットタイルに、順次所定番号を付与し、剥がし取ったカーペットタイルの裏面にその番号を記載し、
その後、洗浄・トリミング済みのカーペットタイルを、前記番号を手懸りに元の剥がし取った床面の位置に収めるようにしたことを特徴とする請求項５記載のカーペットフロアの管理方法。
【請求項８】
単枚状のカーペットタイルを浸置洗浄する浸置洗浄装置と、
浸置洗浄を終了したカーペットタイルを高圧洗浄流体で洗浄するジェット流体洗浄装置と、
ジェット流体洗浄を終了したカーペットタイルを乾燥処理する乾燥装置と、
乾燥を終了したカーペットタイル単枚における倒出植毛を切り落とすトリマー装置とを具えて構成されたカーペットタイル洗浄装置であって、
前記浸置洗浄装置は、洗浄コンテナと、整列ラックと、バブリングノズルとが具えられて成るものであり、
また前記ジェット流体洗浄装置は、カバーシェードと、ワークスタンドとが具えられて成るものであり、
また前記乾燥装置は、筐体内に加圧ローラとブラシローラとを具えて成るものであり、
更にまた前記トリマー装置は、テーブルと、定規と、カッター刃とが具えられて成るものであることを特徴とするカーペットタイル洗浄整形装置。
【請求項９】
前記浸置洗浄装置は、洗浄コンテナを並列に複数具えたものであることを特徴とする請求項８記載のカーペットタイル洗浄整形装置。
【請求項１０】
前記乾燥装置は、真空吸引を行うためのバキューム装置を具えたものであることを特徴とする請求項８または９記載のカーペットタイル洗浄整形装置。
【請求項１１】
前記乾燥装置は、加熱乾燥を行うための加熱装置を具えたものであることを特徴とする請求項８、９または１０記載のカーペットタイル洗浄整形装置。
【発明の詳細な説明】
【技術分野】
【０００１】
本発明は、ホテルやゴルフコースのクラブハウス等の集客施設のロビーや、ホール、客室、廊下等に敷設されているカーペットタイルの洗浄・管理の手法に関するものである。
【背景技術】
【０００２】
各種集客施設や宿泊施設のロビー、ホール等の床には、従来の大面積のカーペットに代えて、一定寸法に分断された単枚状のカーペットタイルが敷き並べられたカーペットフロアが施工されている。
前記カーペットタイルは、一定寸法例えば５０ｃｍ×５０ｃｍ程度の一定規格の単枚状としたものであって、上記寸法の一定のコシを有するシート基材に適宜の植毛が形成されたものであり、床面にこのカーペットタイル単枚を万遍なく敷設してカーペットフロアが構成されている。
【０００３】
このようなカーペットタイルの保守清掃にあたっては、日常的なバキュームクリーナによる清掃の他、適宜間隔で洗剤を用いながらの清掃及び洗浄が行われている。
この従来手法は、一般的に例えば洗浄剤のスプレーと、ブラッシング、吸水、温風吹き付けを一連に行う装置を具えた洗浄装置を用い、これを床面上を移動させながら、カーペットタイルに付着した汚れ・異物を除去している（例えば特許文献１参照）。
しかしながらこの手法は、カーペットタイルをあくまで敷いた状態のまま行われることから、汚れの除去は充分には行われていない。特にゴルフコースのクラブハウス等にあっては、利用者がスパイク付きのゴルフシューズを履いていることから、床面保護を充分にできるようカーペットタイルの植毛の毛足は長くされており、このような場合には汚れの除去は更に困難となっている。
更には剥がしたカーペットタイルを単枚ごとに洗浄する装置も開発されているが、この装置は施工現場から離れた箇所に設置されるものであり、剥がされたカーペットタイル全数を一単位として処理するのが前提とされたものである（例えば特許文献２参照）。
【先行技術文献】
【特許文献】
【０００４】
【特許文献１】特開平９−１０８１５６公報
【特許文献２】特開２００３−８８８２４公報
【発明の概要】
【発明が解決しようとする課題】
【０００５】
本発明はこのような背景を考慮してなされたものであって、基本的にはカーペットタイルを単枚毎に剥がしていわゆる丸洗い状に洗浄する手法を採ることを前提とし、それに適した具体的な手法の開発を行うことを課題としたものである。
【課題を解決するための手段】
【０００６】
まず請求項１記載のカーペットタイルの洗浄整形方法は、浸置洗浄工程、ジェット水洗浄工程、乾燥工程、トリミング工程を経て単枚状のカーペットタイルを洗浄・整形する方法であって、浸置洗浄工程において単枚状のカーペットタイルの汚れ・異物を洗浄液中で除去するものであり、この工程では、洗浄液を貯留できる洗浄コンテナと、洗浄コンテナ底部から気泡を噴出するバブリングノズルとを具えた浸置洗浄装置を用いるものであり、洗浄液を入れた洗浄コンテナ内に、単枚状のカーペットタイルを縦置き整列状態に収納し、バブリングノズルからの気泡によりカーペットタイルに対し物理的表面活性刺激を与え、これに付着している汚れ・異物を除去する洗浄作業を行い、次いでジェット水洗浄工程において、浸置洗浄工程を終了した単枚状のカーペットタイルを一枚毎、高圧洗浄流体による洗浄を行うものであり、この工程では、カバーシェード内にワークスタンドを具えるとともに、別途高圧洗浄ノズルを具えたジェット水洗浄装置を用いるものであり、前記ワークスタンドに対し対面状に単枚状のカーペットタイルを設置し、これに高圧洗浄ノズルからの高圧洗浄流体を作用させて、この洗浄流体によりカーペットタイルの表面の汚れ・異物を更に除去し、次いで乾燥工程において、ジェット水洗浄工程を終了したカーペットタイルの水分除去と起毛と乾燥とを行うものであり、この工程では、筐体内に加圧ローラとブラシローラとを具えた乾燥装置を用いるものであり、カーペットタイルを、植毛を下向きにして加圧ローラ、ブラシローラを通過させ、植毛側に残留しがちな水分を重力を利用して下方に排除するとともに、ブラシローラによって植毛を浮き立たせるように起毛させ、次いでトリミング工程において、乾燥工程を終了したカーペットタイルの周部においてシート基材からはみ出した倒出植毛を切り落とすことを特徴として成るものである。
【０００７】
また請求項２記載のカーペットタイルの洗浄整形方法は、前記請求項１記載の要件に加え、前記各工程は、一定枚数のカーペットタイルが一作業単位として処理されることを特徴として成るものである。
【０００８】
また請求項３記載のカーペットタイルの洗浄整形方法は、前記請求項１または２記載の要件に加え、前記浸置洗浄工程は、洗浄コンテナに対し洗浄用の温水を供給して洗浄液を調製する作業と、洗浄後の洗浄液を排水する作業とを伴うものであり、複数の洗浄コンテナを用意して各別に、温水の供給作業、洗浄作業、排水作業を順次、並列的に行うようにしたことを特徴として成るものである。
【０００９】
また請求項４記載のカーペットタイルの洗浄整形方法は、前記請求項１、２または３記載の要件に加え、前記乾燥工程においては、加圧ローラに加え、バキューム装置を用いた真空吸引によって水分除去を行うことを特徴として成るものである。
【００１０】
また請求項５記載のカーペットタイルの洗浄整形方法は、前記請求項１、２、３または４記載の要件に加え、前記乾燥工程においては、加熱装置によってカーペットタイル乾燥を行うことを特徴として成るものである。
【００１１】
また請求項６記載のカーペットフロアの管理方法は、前記請求項１、２、３、４または５いずれか記載のカーペットタイルの洗浄整形方法を適用して、カーペットフロアの洗浄作業を現場で完結させるようにしたカーペットフロアの管理を行う方法であって、作業現場準備工程で、前記請求項１、２、３、４または５記載の方法を実施するための作業現場を施設周囲の適宜位置に設置し、次いで仮置タイル仮設工程において、カーペットタイルと同規格の仮置タイルを複数枚用意し、一方、管理対象となる施設のカーペットフロアを構成するカーペットタイルを順次床面から剥がし取るとともに、カーペットタイルが剥がし取られた床面に仮置タイルを仮設して施設の平常利用環境を確保し、次いでカーペットタイル持込工程において、前記剥がし取られた複数枚のカーペットタイルを作業現場に持ち込むとともに、前記請求項１、２、３、４または５いずれか記載のカーペットタイルの洗浄方法を実施し、次いでカーペットタイル戻し工程において、洗浄・整形済みのカーペットタイルを剥がし取った床面に戻すものであり、仮置きタイルを剥がし取った個所に洗浄済みのカーペットタイルを嵌め込み、仮置きタイルとの入れ替えを順次行うようにしたことを特徴として成るものである。
【００１２】
また請求項７記載のカーペットフロアの管理方法は、前記請求項６記載の要件に加え、前記仮置タイル仮設工程において、床面から剥がし取る前のカーペットタイルに、順次所定番号を付与し、剥がし取ったカーペットタイルの裏面にその番号を記載し、その後、洗浄・トリミング済みのカーペットタイルを、前記番号を手懸りに元の剥がし取った床面の位置に収めるようにしたことを特徴として成るものである。
【００１３】
また請求項８記載のカーペットタイル洗浄整形装置は、単枚状のカーペットタイルを浸置洗浄する浸置洗浄装置と、浸置洗浄を終了したカーペットタイルを高圧洗浄流体で洗浄するジェット流体洗浄装置と、ジェット流体洗浄を終了したカーペットタイルを乾燥処理する乾燥装置と、乾燥を終了したカーペットタイル単枚における倒出植毛を切り落とすトリマー装置とを具えて構成されたカーペットタイル洗浄装置であって、前記浸置洗浄装置は、洗浄コンテナと、整列ラックと、バブリングノズルとが具えられて成るものであり、また前記ジェット流体洗浄装置は、カバーシェードと、ワークスタンドとが具えられて成るものであり、また前記乾燥装置は、筐体内に加圧ローラとブラシローラとを具えて成るものであり、更にまた前記トリマー装置は、テーブルと、定規と、カッター刃とが具えられて成るものであることを特徴として成るものである。
【００１４】
また請求項９記載のカーペットタイル洗浄整形装置は、前記請求項８記載の要件に加え、前記浸置洗浄装置は、洗浄コンテナを並列に複数具えたものであることを特徴として成るものである。
【００１５】
また請求項１０記載のカーペットタイル洗浄整形装置は、前記請求項８または９記載の要件に加え、前記乾燥装置は、真空吸引を行うためのバキューム装置を具えたものであることを特徴として成るものである。
【００１６】
また請求項１１記載のカーペットタイル洗浄整形装置は、前記請求項８、９または１０記載の要件に加え、前記乾燥装置は、加熱乾燥を行うための加熱装置を具えたものであることを特徴として成るものである。
そしてこれら各請求項記載の構成を手段として前記課題の解決が図られる。
【発明の効果】
【００１７】
まず請求項１記載の発明によれば、一定寸法に分断された単枚のカーペットタイルが敷き並べられたカーペットフロアの洗浄を、合理的且つ効率的に実施することができる。
【００１８】
また請求項２記載の発明によれば、カーペットタイル洗浄装置を効率的に稼動することができる。
【００１９】
また請求項３記載の発明によれば、カーペットタイルに付着した汚れ・異物を確実且つ効率的に除去することができる。
【００２０】
また請求項４記載の発明によれば、短時間で確実に水分を除去することができる。
【００２１】
また請求項５記載の発明によれば、カーペットタイルの乾燥度合いをより進んだものとすることができる。
【００２２】
また請求項６記載の発明によれば、カーペットタイルが敷き並べられたカーペットフロアが施工された施設において、カーペットタイルの剥がし取り、洗浄、乾燥及び戻しといった一連の作業を効率的に行うことにより、カーペットフロアの管理を合理的且つ効率的に実施することができる。
【００２３】
また請求項７記載の発明によれば、床面から剥がし取られた後、洗浄及び乾燥が行われたカーペットタイルを、床面上の元の個所に確実に戻すことができる。
【００２４】
また請求項８記載の発明によれば、一定寸法に分断された単枚のカーペットタイルが敷き並べられたカーペットフロアの洗浄を、合理的且つ効率的に実施することができる。
【００２５】
また請求項９記載の発明によれば、カーペットタイルに付着した汚れ・異物を確実且つ効率的に除去することができる。
【００２６】
また請求項１０記載の発明によれば、短時間で確実に水分を除去することができる。
【００２７】
また請求項１１記載の発明によれば、カーペットタイルの乾燥度合いをより進んだものとすることができる。
【図面の簡単な説明】
【００２８】
【図１】本発明のカーペットフロアの管理方法の実施状況を示す斜視図である。
【図２】本発明のカーペットタイルの洗浄整形方法を示すフローである。
【図３】浸置洗浄装置を示す斜視図である。
【図４】ジェット流体洗浄装置を示す斜視図である。
【図５】乾燥器を示す正面図及び透視図である。
【図６】トリマー装置を示す斜視図及びトリミングの様子を示す正面図である。
【図７】浸置洗浄工程における各洗浄コンテナの状況を示すタイムチャートである。
【発明を実施するための形態】
【００２９】
本発明を実施するための形態は、以下に述べる実施例をその好適な一例とするものであり、更にこの技術思想に基づき改変される種々の形態をも含むものである。
【実施例】
【００３０】
以下、本発明たる「カーペットタイルの洗浄整形方法並びにこの方法を適用したカーペットフロアの管理方法並びにカーペットタイル洗浄整形装置」について説明する。この説明にあたっては、はじめにカーペットタイル洗浄整形装置Ｄについて図示の実施例に基づいて具体的に説明し、その後、この装置の用い方を説明する中で実質的な「カーペットタイルの洗浄整形方法」並びにこの方法を適用した「カーペットフロアの管理方法」について説明する。
まず本発明の実施環境の概要を説明すると、本発明は、ホテルやゴルフコースのクラブハウスＨ等の集客施設のロビー、ホール、客室、廊下等やオフィス等に施工されているカーペットフロアＦの構成要素であるカーペットタイルＣの洗浄・管理の手法に関するものである。
ここで前記カーペットフロアＦは、一定寸法例えば５０ｃｍ×５０ｃｍ程度の一定規格の単枚状としたカーペットタイルＣを、クラブハウスＨ等の床面Ｇに万遍なく敷設して構成されるものである。また前記カーペットタイルＣは、一定のコシを有するシート基材Ｃ１を用い、このものに適宜の植毛Ｃ２を形成したものである。
【００３１】
そして前記カーペットタイル洗浄整形装置Ｄは、単枚状のカーペットタイルＣを浸置洗浄する浸置洗浄装置１と、浸置洗浄を終了したカーペットタイルＣをジェット流体で洗浄するジェット流体洗浄装置２と、ジェット流体洗浄を終了したカーペットタイルＣを乾燥処理する乾燥装置３と、乾燥を終了したカーペットタイルＣ単枚における倒出植毛Ｃ３を切り落とすトリマー装置５とを具えて構成される。
以下、これらカーペットタイル洗浄整形装置Ｄを構成する各機器について説明する。
【００３２】
まず前記浸置洗浄装置１について説明する。このものは図３に示すように、洗浄コンテナ１１と、整列ラック１２と、バブリングノズル１３が主要部材として具えられて成るものである。
前記洗浄コンテナ１１は、一例として十数枚のカーペットタイルＣを縦置き状態に収納することができるように寸法設定された容量１００リットル程度のものであり、その底部にバブリングノズル１３が一例として角環状に配置され、このバブリングノズル１３にエアポンプ１５が接続されている。なおこの実施例では一例として、三基の洗浄コンテナ１１Ａ、１１Ｂ、１１Ｃが用いられ、各別に温水の供給作業、浸置洗浄作業、排水作業を順次、並列的に行うことが可能とされる。
なお前記バブリングノズル１３の側部には多数の噴出口１３ａが形成されている。またバブリングノズル１３を囲繞するように、このバブリングノズル１３よりも高さ寸法が大きく設定された載置枠１４が設けられる。
また洗浄コンテナ１１の上縁には、適宜給湯装置１９や直接水道等に接続される蛇口１６が設けられており、フロート１７を具えたフロート弁１８によって所定の水位で給水が停止されるように構成されている。
また洗浄コンテナ１１の底部には排水口１１１が形成され、この排水口１１１を塞ぐ栓がチェーンによって上縁部に繋がれている。
【００３３】
なお洗浄コンテナ１１に付設される形になっているエアポンプ１５と蛇口１６については、非作業時における諸機材の格納と、使用時における設置との作業性を向上させるために、いわゆるワンタッチの取付け、取外しができる構成を採る。即ちエアポンプ１５は、その支持ベース１５１から差込脚１５２を下方に延長形成し、これを洗浄コンテナ１１の上縁部に形成した受入孔１１０に上方から差し込んで取り付けるようにしている。
一方、蛇口１６についても同様にその支持ベース１６１から差込脚１６２を下方に延長形成し、これを洗浄コンテナ１１の上縁部に形成した受入孔１１０に上方から差し込んで取り付けるようにしている。
なおエアポンプ１５のエア吹出口とバブリングノズル１３とは、配気管１３１及び簡単嵌込可能なエルボ状のジョイントホース１３２とで接続され、この部位でエアポンプ１５とバブリングノズル１３とが分離されてエアポンプ１５の単独取り外しが可能となっている。
【００３４】
また前記整列ラック１２は、洗浄コンテナ１１内に複数枚のカーペットタイルＣを縦置き整列状態に収納することを可能とするための部材であり、一例として樹脂で被覆された金属線材を組み合わせることにより、複数枚（一例として１６枚）のカーペットタイルＣを適宜の空間を保った状態で並行配列できるように構成されたものである。
そして整列ラック１２に複数のカーペットタイルＣを縦置き整列状態に収納し、更にこの状態の整列ラック１２を洗浄コンテナ１１内に配置することにより、カーペットタイルＣを洗浄コンテナ１１内に縦置き整列状態に収納することが可能となる。
【００３５】
また前記給湯装置１９は、制御装置を具えたボイラー１９ａと、ＬＰガス等のガスボンベ１９ｂをキャスタ付きの架台１９ｃに搭載して構成されている。この実施例では一例として、３８〜６０℃の温水を０．９リットル／分で供給することができるものが採用される。
【００３６】
次に前記ジェット流体洗浄装置２について説明する。このものは図４に示すように、ジェット水噴出装置２５を用いてカーペットタイルＣを洗浄する際に、効果的且つ周辺に高圧洗浄流体Ｗを飛散させることがないように洗浄することのできる機器である。
具体的にはカバーシェード２１内に、カーペットタイルＣを保持するワークスタンド２２が配されるものであり、透明樹脂等で形成された箱型のカバーシェード２１が、その前面に形成される開口部２３が上方に指向するように架台２０に対して固定されて構成される。
なお前記ワークスタンド２２は、鉛直方向に対して３０°傾斜した状態とされている。
また前記ワークスタンド２２は一例としてパンチングメタルによって形成された板状部材であり、その下辺部に支持凸部２２ａが縁状に具えられている。そしてこのワークスタンド２２は、その支持面が一例として前記開口部２３と平行状態となるように配される。
なお前記カバーシェード２１の底部には排水口２４が形成されており、ここから高圧洗浄流体Ｗが排水されるようになっている。
【００３７】
また前記ジェット水噴出装置２５は、水道水等の高圧洗浄流体Ｗを最大８ＭＰａ程度で噴出する、いわゆる高圧洗浄機が適用されるものである。そしてこのジェット水噴出装置２５には、一例としてガンタイプの高圧洗浄ノズル２６が接続され、ここから高圧洗浄流体Ｗが噴出されるものである。
【００３８】
次に前記乾燥装置３について説明する。このものは図５に示す様に、筐体３０内に一例として可変速の取込ローラ３１、加圧ローラ３２、ブラシローラ３３、吸収ローラ３４及びこの吸収ローラ３４に対してその前後において接する二基の挟持ローラ３５を具えて成るものである。そして投入口３０ａから投入されたカーペットタイルＣを、脱水、植毛Ｃ２のブラッシング及び乾燥を連続的に行った後に排出口３０ｂから排出する装置である。
なお前記取込ローラ３１、加圧ローラ３２、ブラシローラ３３、吸収ローラ３４及び挟持ローラ３５は、適宜ギヤや変速機を組み合わせることにより単一のモータによって駆動されるものであり、このモータを可変速とすることにより、処理時間を調整できるようにすることが好ましい。なお前記吸収ローラ３４は、スポンジ等、微細な多孔質の軟質材質で形成されている。
また前記二基の挟持ローラ３５の間の下方に吸引ヘッド３６が配されるものであり、この吸引ヘッド３６にはバキューム装置３７が接続されてその内部が真空室３６ａとして機能する。このバキューム装置３７による吸引力は比較的強力なものであり、この実施例では一例として定格電力１０５０Ｗの真空モータ二基によるものとした。
また前記吸収ローラ３４と排出口３０ｂとの間には、面状発熱体等を適用された加熱部３８が具えられている。
なお前記投入口３０ａから吸引ヘッド３６にかけては、その下方に水受パン３９が設けられており、滴下した水分を受けて適宜外部に排水できるように構成されている。
なお上述したように構成される乾燥装置３として、この実施例では一例として、株式会社ケイズグループ製洗王ＷＤ−２２００をカスタマイズした装置を採用した。
【００３９】
次に前記トリマー装置５について説明する。このものは図６に示すように、テーブル５１と、このテーブル５１上に固定された定規５２及び裁断装置５３とを具えて構成されるものである。なお前記裁断装置５３に具えられたカッター刃５５は、定規５２の端部に沿った状態で上下方向に移動するように設定されている。
【００４０】
更にカーペットタイル洗浄整形装置Ｄには、前記エアポンプ１５、給湯装置１９、ジェット水噴出装置２５、乾燥装置３、裁断装置５３等を稼動するための発電機（図示省略）が具えられるものである。
【００４１】
本発明のカーペットタイル洗浄整形装置Ｄは、一例として上述したように構成されるものであり、以下、この装置を用いた「カーペットタイルの洗浄整形方法」並びにこの方法を適用した「カーペットフロアの管理方法」について説明する。
なお以下の実施例では、一例としてゴルフ場のクラブハウスＨに敷設されたカーペットタイルＣの洗浄及びカーペットフロアＦの管理を行う方法について説明する。
【００４２】
〔作業現場準備工程〕
まず最初に作業現場準備工程において、カーペットタイルＣの洗浄作業を行う作業現場を確保、設営するものであって、カーペットタイル洗浄整形装置Ｄを施設周囲の適宜位置に設置する。この実施例では一例として図１に示すように、ゴルフ場のクラブハウスＨ裏手等に隣接する駐車場にトラックＴを駐車し、このトラックＴの荷台Ｔ１と駐車場とにカーペットタイル洗浄整形装置Ｄを構成する機器を配置する。もちろんトラックＴの周辺で使用される機材一式は、荷台Ｔ１に積まれて輸送され、現場で荷降ろししてトラックＴ周辺に配置される。
具体的には図１に示すように、まず駐車場に浸置洗浄装置１を配置するものであり、この個所には水道の蛇口及び汚水口が設けられていることが好ましい。
またこの実施例では、給湯装置１９と三基の洗浄コンテナ１１Ａ、１Ｂ、１１Ｂにおける蛇口１６とをホースで接続するものであり、適宜のバルブを切り替えることにより、給湯装置１９からの温水の供給先を選択できるようにする。
またトラックＴの荷台Ｔ１にはジェット流体洗浄装置２及び乾燥装置３が定置状態に設置されるとともに、それぞれの排水管からの排水を適宜荷台Ｔ１の外に排出できるように構成される。
更に駐車場にはトリマー装置５が配置されるものであって、このトリマー装置５は工程の順序から荷台Ｔ１に設けられる乾燥装置３に近い位置に設置することが好ましい。
もちろん前記荷台Ｔ１が充分に広い場合には、これらジェット流体洗浄装置２、乾燥装置３に加え、浸置洗浄装置１および／またはトリマー装置５を荷台Ｔ１に設置するようにしてもよい。
【００４３】
〔仮置タイル仮設工程〕
次いで仮置タイル仮設工程において、洗浄整形が行われるカーペットタイルＣ（一例として２５６枚）と同規格の仮置タイルＣＴを複数枚用意し、一方、管理対象となる施設のカーペットフロアＦを構成するカーペットタイルＣを順次床面から剥がし取るとともに、カーペットタイルＣが剥がし取られた床面Ｇに仮置タイルＣＴを仮設して施設の平常利用環境を確保する。
なおこの実施例では、仮置タイル仮設工程において剥がし取る（洗浄整形が行われる）カーペットタイルＣに、図１中、丸数字で示すように予め順次所定番号を付与しておき、剥がし取ったカーペットタイルＣの裏面にその番号を油性ペン等によって実際に記載するようにした。これは洗浄済みのカーペットタイルＣ′を、前記番号を手懸りに、床面Ｇにおける元の剥がし取った位置に確実に収めるために行われるものである。もちろん図１中、丸数字で示された所定番号は仮想的に付与されたものであり、実際にカーペットタイルＣの表面に記載されるものではないが、カーペットタイルＣが剥がし取られた部位の床面Ｇに記載したり、番号が記載されたシール等を貼付するようにしてもよい。
【００４４】
〔カーペットタイル持込工程〕
次いでカーペットタイル持込工程において、前記剥がし取られた複数枚のカーペットタイルＣを、適宜のコンテナに収容して作業現場におけるカーペットタイル洗浄整形装置Ｄに持ち込むとともに、図２に示すフローに従ったカーペットタイルＣの洗浄整形が行われる。この際、必要であれば台車に複数のコンテナを積み重ね状態に載置して運搬するようにしてもよい。
またこの実施例では、一定枚数（一例として１６枚）のカーペットタイルＣが一作業単位として処理されるものであり、個々のコンテナ（１６基）にそれぞれ１６枚のカーペットタイルＣが収納される。
【００４５】
（１）〔浸置洗浄工程〕
そして浸置洗浄工程Ｓ１が実施されるものであり、以下図７に示すタイムチャート（横軸は分）を参照しながら説明する。
浸置洗浄工程Ｓ１においては、給湯装置１９に接続された蛇口１６から、最初に洗浄コンテナ１１Ａに温水が供給されるものであり、フロート１７によって所定の水位となったことが検知された時点で注水が停止される（一例として所要時間１１分）。
引き続き適宜バルブを切り替えて洗浄コンテナ１１Ｂへの温水の供給が開始される。
一方、洗浄コンテナ１１Ａ内の温水には洗剤が投入されることにより洗浄液Ｌが調製される。
そして一例として整列ラック１２内に縦置き整列状態で収納された１６枚のカーペットタイルＣを、図３（ｂ）に示すように整列ラック１２ごと洗浄コンテナ１１Ａ内に投入して、個々のカーペットタイルＣ同士が所定の間隔を維持された状態で洗浄液Ｌ中に浸漬させる。なお図３等では構成が解り易いように、６枚のカーペットタイルＣが整列ラック１２に収納された形態を示しているが、この数はカーペットタイルＣの形状に応じて適宜増減することが可能である。
【００４６】
次いでエアポンプ１５が起動され、洗浄コンテナ１１Ａ底部に配されたバブリングノズル１３の噴出口１３ａから微細な気泡が噴出するものであり、この気泡によって、洗浄液Ｌに対流が生起されるとともにカーペットタイルＣに対し物理的表面活性刺激を与え、植毛Ｃ２の繊維の間に潜んだ汚れや残留洗剤が効果的に除去されることとなる。なおこの実施例では、このような浸け置き状態を２０分継続するようにした。
そしてこの間に、洗浄コンテナ１１Ｂへの注水が完了するため（所要時間１１分）、引き続き適宜バルブを切り替えて洗浄コンテナ１１Ｃへの温水の供給を開始する。更に洗浄コンテナ１１Ｂ内の温水に洗剤を投入して洗浄液Ｌを調製し、次の１６枚のカーペットタイルＣを整列ラック１２ごと洗浄コンテナ１１Ｂ内に投入し、エアポンプ１５を起動して浸置洗浄を行う。
【００４７】
その後洗浄コンテナ１１Ａにおける浸置洗浄が終了した時点（２０分経過後）で、エアポンプ１５が停止され、洗浄コンテナ１１Ａの排水口１１１の栓を外して洗浄液Ｌが排水される（一例として所要時間３分）。
次いでこの状態でカーペットタイルＣの水切りが行われるものであり、一例として２分間静置するようにした。
次いで整列ラック１２内に縦置き整列状態とされているカーペットタイルＣを、整列ラック１２ごと水切りトレー６に入れ替える。
更に洗浄コンテナ１１Ａ内を水で洗浄し、内壁部に残存する汚れや洗浄液Ｌを洗い流して（所要時間１分）次の注水に備える。なおこの洗浄コンテナ１１Ａ内の洗浄作業は状況に応じて省略することもできる。
次いで洗浄コンテナ１１Ｃへの注水が完了した時点（所要時間１１分）で、再度洗浄コンテナ１１Ａへの注水が行われるものであり、以降、同様に洗浄コンテナ１１Ａ、洗浄コンテナ１１Ｂ、洗浄コンテナ１１Ｃの順で上述の温水の供給作業、浸置洗浄作業、排水作業が並列的に繰り返される。
このように一基の洗浄コンテナ１１への温水の注水が完了するのには所要時間１１分と長時間を要するものの、本発明においては複数基（この実施例では三基）の洗浄コンテナ１１Ａ、１１Ｂ、１１Ｃを使い回して、常時いずれかの洗浄コンテナ１１において浸置洗浄作業が行われるものである。
【００４８】
（２）〔ジェット水洗浄工程〕
次いで整列ラック１２内に縦置き整列状態とされているカーペットタイルＣは、水切りトレー６ごと、トラックＴの荷台Ｔ１上に設けられているジェット流体洗浄装置２の近くに持ち込まれる。
次いでジェット水洗浄工程Ｓ２において、浸置洗浄工程Ｓ１を終了した単枚状のカーペットタイルＣを一枚または二枚程度セット可能な枚数毎、高圧洗浄流体Ｗにより洗浄する。この工程では図４（ｂ）に示すように、ワークスタンド２２に対し対面状に単枚状のカーペットタイルＣを設置し、その上方範囲から順次、高圧洗浄ノズル２６からの高圧洗浄流体Ｗを作用させて、この高圧洗浄流体ＷによりカーペットタイルＣの表面の汚れ・異物を更に除去するとともに、カーペットタイルＣ内部に残存する洗浄液Ｌに含まれる洗剤成分を洗い流す（所要時間１分１０秒）。
この際、前記ワークスタンド２２は、鉛直方向に対して３０°傾斜した状態とされており、これによりワークスタンド２２に載置されたカーペットタイルＣが安定的に設置されるとともに、これに作用した高圧洗浄流体Ｗは適度の速度で流下することとなり、汚れや異物を効果的に洗い流すことができる。
【００４９】
そしてジェット水洗浄後のカーペットタイルＣは、水切りトレー７内に収容された整列ラック１２収められて水切りが行われながら次工程に具えて待機する。なお、この水切りトレー７がカート８上にセットされることにより、カーペットタイルＣが乾燥装置３の投入口３０ａ付近の高さに位置し、次の乾燥工程Ｓ３での作業性が向上することとなる。
なお前記水切りトレー７には排水口が形成されるとともに、排水管が接続されており、排水を適宜荷台Ｔ１の外に排出できるように構成されている。
【００５０】
（３）〔乾燥工程〕
次いで乾燥工程Ｓ３において、ジェット水洗浄工程Ｓ２を終了したカーペットタイルＣの水分除去と乾燥を行う。なおこの実施例で用いる乾燥装置３には、ブラシローラ３３が具えられているため、カーペットタイルＣの起毛も行われるものである。
具体的には前記乾燥装置３を用い、図５（ｂ）に示すようにカーペットタイルＣを、植毛Ｃ２を下向きにして投入口３０ａに投入する。カーペットタイルＣは取込ローラ３１によって引き込まれ、加圧ローラ３２を通過し、植毛Ｃ２側に残留しがちな水分が重力によって下方に排除されるとともに、ブラシローラ３３によって植毛Ｃ２が浮き立つように起毛される。
次いで、カーペットタイルＣは、吸引ヘッド３６に至り、ここで吸引孔３６ｂからの真空吸引が幅方向全域に亘って植毛Ｃ２側に作用するため、カーペットタイルＣに含まれる水分は吸引されるとともに、バキューム装置３７を経由して排水口３７ａから外部に排水される。この際、カーペットタイルＣのシート基材Ｃ１及び植毛Ｃ２の繊維間に残存しているダストや汚れも、吸引孔３６ｂからの真空吸引によってこれらから離脱されることとなり、乾燥装置３においても洗浄効果が得られることとなる。
次いでカーペットタイルＣは加熱部３８に接触して加熱され、残留している水分が蒸発して更に乾燥が進むとともに、シワが延ばされた状態で排出口３０ｂから排出される。
【００５１】
（４）〔トリミング工程〕
次いでトリミング工程Ｓ４において、乾燥工程Ｓ３を終了したカーペットタイルＣの周部においてシート基材Ｃ１からはみ出した倒出植毛Ｃ３を切り落とす。
すなわち特にゴルフコースのクラブハウスＨ等にあっては、利用者がスパイク付きのゴルフシューズを履いていることから、床面保護を充分にできるよう、植毛Ｃ２の毛足は長くされており、この場合、乾燥工程Ｓ３を終了したカーペットタイルＣの周部において、植毛Ｃ２の一部はどうしてもシート基材Ｃ１からはみ出してしまうことは避けられない（これを倒出植毛Ｃ３と呼ぶ）。
このためカーペットタイルＣをテーブル５１に載置し、図６（ｂ）に示すようにシート基材Ｃ１の周縁部をテーブル５１上に固定されている定規５２に当てがい、カーペットタイルＣをスライドしながら裁断装置５３のカッター刃５５によってシート基材Ｃ１からはみ出した倒出植毛Ｃ３を切り落とす。
そしてこのようなトリミング工程Ｓ４での処理が行われることによって、カーペットタイルＣは元の規格寸法に復元されることとなる。以下、上述のように洗浄・整形が済んだカーペットタイルの符号をＣ′とする。
【００５２】
〔カーペットタイル戻し工程〕
次いでカーペットタイル戻し工程において、トリミング工程Ｓ４を終了したカーペットタイルＣ′を、剥がし取った床面Ｇに戻す（図１参照）。
具体的にはトリミング工程Ｓ４を終了したカーペットタイルＣ′は、順次コンテナに収納されるものであり、台車に積まれてクラブハウスＨに持ち込まれる。
そして、仮置タイルＣＴが剥がし取られるものであり、その個所にカーペットタイルＣ′を嵌め込み、仮置タイルＣＴとの入れ替えが順次行われる。
この際、本発明によれば、カーペットタイルＣ′の裏面には、元あった位置に付与された番号が記載されているため、この番号を手懸りにカーペットタイルＣ′を、床面Ｇにおける元の剥がし取った位置に、元の向きで確実に収めることができる。
更に本発明によれば、カーペットタイルＣ′は倒出植毛Ｃ３が切り落とされることにより、元の規格寸法に復元されているため、隣接するカーペットタイルＣ′の植毛Ｃ２が干渉することなく、隙間や重なりによる浮き上がりを生ずることなく、床面Ｇに元の状態で設置することができる。
もちろん全てのカーペットタイルＣ（一例として２５６枚）の洗浄整形が完了した後、これらをまとめて剥がし取った床面Ｇに戻すようにしてもよい。
【００５３】
このように本発明では、浸置洗浄工程Ｓ１のタクト時間（３６分、洗浄コンテナ１１の洗浄作業を含めた場合３７分）と、ジェット水洗浄工程Ｓ２及び乾燥工程Ｓ３のタクト時間（３７分２０秒）とが、略同じになるように調整されているため、一連の作業工程Ｓ１〜Ｓ３においてカーペットタイルＣが滞ることなく、極めて効率的に処理されるものである。
【符号の説明】
【００５４】
Ｈ      クラブハウス
Ｇ      床面
Ｆ      カーペットフロア
Ｃ      カーペットタイル
Ｃ′    カーペットタイル（洗浄・整形済み）
Ｃ１    シート基材
Ｃ２    植毛
Ｃ３    倒出植毛
ＣＴ    仮置タイル
Ｔ      トラック
Ｔ１    荷台
Ｌ      洗浄液
Ｗ      高圧洗浄流体
Ｄ      カーペットタイル洗浄整形装置
１      浸置洗浄装置
１１    洗浄コンテナ
１１０  受入孔
１１１  排水口
１２    整列ラック
１３    バブリングノズル
１３ａ  噴出口
１３１  配気管
１３２  ジョイントホース
１４    載置枠
１５    エアポンプ
１５１  支持ベース
１５２  差込脚
１６    蛇口
１６１  支持ベース
１６２  差込脚
１７    フロート
１８    フロート弁
１９    給湯装置
１９ａ  ボイラー
１９ｂ  ガスボンベ
１９ｃ  架台
２      ジェット流体洗浄装置
２０    架台
２１    カバーシェード
２２    ワークスタンド
２２ａ  支持凸部
２３    開口部
２４    排水口
２５    ジェット水噴出装置
２６    高圧洗浄ノズル
３      乾燥装置
３０    筐体
３０ａ  投入口
３０ｂ  排出口
３１    取込ローラ
３２    加圧ローラ
３３    ブラシローラ
３４    吸収ローラ
３５    挟持ローラ
３６    吸引ヘッド
３６ａ  真空室
３６ｂ  吸引孔
３７    バキューム装置
３７ａ  排水口
３８    加熱部
３９    水受パン
５      トリマー装置
５１    テーブル
５２    定規
５３    裁断装置
５５    カッター刃
６      水切りトレー
７      水切りトレー
８      カート（台車）
Ｓ１    浸置洗浄工程
Ｓ２    ジェット水洗浄工程
Ｓ３    乾燥工程
Ｓ４    トリミング工程
【図１】
2017221920.tif 000003
【図２】
2017221920.tif 000004
【図３】
2017221920.tif 000005
【図４】
2017221920.tif 000006
【図５】
2017221920.tif 000007
【図６】
2017221920.tif 000008
【図７】
2017221920.tif 000009